(57)【要約】【課題】ラジエータに構成要素を簡単に固定するための機構を提供する。【解決手段】冷却アセンブリは、プラスチック製収集タンク１６，１８を含むラジエータ１２と、ラジエータ１２に固定された支持構造体２４と、支持構造体２４とラジエータ１２とを互に取付ける取付け手段とを備える。取付け手段は、収集タンク１６，１８に設けられたＵ字形状シート３８と、支持構造体２４に取付けられた係合部材３６とを含む。Ｕ字形状シート３８の係合表面４２と、係合部材３６の円筒形旋回構造体とがスナップ式に係合する。【選択図】図５
2006207588.tif 000002
【特許請求の範囲】
【請求項１】
プラスチック材料製の２つの収集タンク（１６，１８）を含むラジエータ（１２）と、
上記ラジエータ（１２）に固定された要素（２４）と、
上記要素（２４）と上記ラジエータ（１２）とを相互に取付けるための取付け手段とを備え、上記取付け手段は、上記収集タンク（１６，１８）の各々に２つのＵ字形状のシート（３８）と、上記要素（２４）に取付けられた２対の係合部材（３６）とを含む車両のための冷却アセンブリにおいて、
上記係合部材（３６）の各々は、円形部を有する円筒形外表面の旋回構造体を備え、
上記シートの各々は弾性的に変形可能なスナップ式係合表面（４２）を有し、上記スナップ式係合表面（４２）は、スナップ式係合において上記旋回構造体を収容することができる円形部付きの半円筒形状を有していることを特徴とする車両のための冷却アセンブリ。
【請求項２】
請求項１に記載の冷却アセンブリにおいて、
上記シート（３８）の各々はプラスチック材料製の薄壁によって形成され、上記薄壁は、上記各収集タンク（１６，１８）の壁から延在するとともに、上記スナップ式係合表面を形成する弧状部（４２）付きのＵ字形状分岐体（４４）を備えていることを特徴とする冷却アセンブリ。
【請求項３】
請求項１または２に記載の冷却アセンブリにおいて、
上記冷却アセンブリは少なくとも１つの弾性的に変形可能なタブ（５４）を備え、上記変形可能なタブ（５４）は、各係合部材（３６）について固定される平面部（５８，６０）と、スナップ式に係合できることを特徴とする冷却アセンブリ。
【請求項４】
請求項３に記載の冷却アセンブリにおいて、
上記変形可能なタブ（５４）は各シート（３８）の一部分（５２）から突き出ていることを特徴とする冷却アセンブリ。
【請求項５】
請求項３に記載の冷却アセンブリにおいて、
上記弾性的に変形可能なタブ（５４）は各収集タンク（１６，１８）の壁から突き出ていることを特徴とする冷却アセンブリ。
【請求項６】
請求項１に記載の冷却アセンブリにおいて、
上記シート（３８）はそれぞれ開口部を有し、上記開口部は全て同じ方向に向いていることを特徴とする冷却アセンブリ。
【請求項７】
請求項１に記載の冷却アセンブリにおいて、
一対の第１のシート（３８）は、第１の方向に沿って方向付けられた開口部をそれぞれ有し、一対の第２のシート（３８）は、第２の方向に沿って方向付けられた開口部をそれぞれ有し、上記第２の方向は上記第１の方向と垂直であることを特徴とする冷却アセンブリ。
【発明の詳細な説明】
【技術分野】
【０００１】
本発明は、クレーム１の前提項に記載の車両用冷却アセンブリに関する。上記クレーム１の前提項は文献ＦＲ−Ａ−２６９９９６１により周知である。
【背景技術】
【０００２】
上記文献ＦＲ−Ａ−２６９９９６１は車両用内燃機関の冷却アセンブリについて記載している。上記冷却アセンブリはファンの支持体を備え、上記支持体には、ラジエータの収集タンクに固定するための固定部材が設けられている。上記収集タンクはＵ字形状の一体型シートを備える。上記シートは上記ファンの支持アームの端部を収容する。また、弾性的に変形可能なタブが設けられ、上記タブは、ファンの支持体がシートから離脱するのを防止するために、上記Ｕ字形状シートの外側の係合部材の一部分と嵌め合い式に係合する。固定構造体は、上記収集部材に向かって延在する第１アームの自由端子によって、構成される。この文献ＦＲ−Ａ−２６９９９６１に記載された方法では、さらに、ラジエータの両側に係合する上記第１アームに垂直且つ収集タンクに垂直な方向の第２アームを必要とする。
【特許文献１】ＦＲ−Ａ−２６９９９６１
【発明の開示】
【発明が解決しようとする課題】
【０００３】
本発明の目的は、ラジエータに構成要素を固定するための簡単な解決策を提供することであり、具体的には、上記収集タンクに対して垂直であってラジエータの両側に係合する第２アームを使用する必要のないものを提供することである。
【課題を解決するための手段】
【０００４】
本発明によると、上記目的は、クレーム１に記載の特徴を有する冷却アセンブリにより達成される。
【発明の効果】
【０００５】
本発明の特徴と利点は、単なる非制限的な例として添付の図面を参照して与えられる下記の詳細な説明から、容易に明らかになるであろう。
【発明を実施するための最良の形態】
【０００６】
図１を参照すると、参照番号は、ラジエータ１と換気ユニット１４とを備えた車両のための冷却アセンブリを示している。
【０００７】
ラジエータ１２は、射出成形されたプラスチック材料製の２つの収集タンク１６，１８と、上記タンク１６，１８の間に配置されたチューブ・フィン型熱交換コア２０とを備える。上記換気ユニット１４は、少なくとも１つのファン２２と、プラスチック材料製モノリシック構造の要素によって構成される支持構造体２４とを備える。
【０００８】
上記支持構造体２４は、ファン２８のためのハウジングを構成する円形壁２６を備える。４つのアーム３０は、円形壁２６から半径方向に延在し、中央支持体３２を支える。上記中央支持体３２には、電気モータが固定されている。
【０００９】
上記支持構造体２４には、２つの隣接する円形壁２６が設けられ、各円形壁２６には、ファンがそれぞれ付いている。
【００１０】
単一ファン型とダブルファン型の両方とも、上記支持構造体２４は、横方向外側に延在する４つの固定アーム３４を備える。各アーム３４は、その外端部に係合部材３６を有する。上記係合部材３６は、円筒形外表面を有する旋回構造体によって構成される。上記旋回構造体は各アーム３４の端部において一体に形成されている。
【００１１】
上記図２から図５を参照すると、ラジエータ１２の各収集タンク１６，１８には、２つのシート３８が設けられている。各シート３８は、それぞれ係合部材３６を収容する。各シート３８は、プラスチック材料によって構成され、収集タンク１６，１８と一体の形態で得られる。
【００１２】
図２，３，５を参照すると、各シート３８は、半円筒形係合部４２付きのＵ字形状内部表面４０を有する。上記係合部４２は、上記旋回構造体３６の外表面と嵌め込み（スナップオン）式に係合する外径寸法を有している。
【００１３】
各シート３８は、各収集タンク１６，１８の側面から突き出したプラスチックの薄壁によって形成されている。シート１８を形成している薄壁は、スナップ式係合表面４２付きの内表面４０を支持しているＵ字形状の第１分岐体４４と、この第１分岐体４４の端部に結合した略Ｌ字形状の第２分岐体４６とを備える。上記第１と第２の分岐体４４，４６は、それぞれ、各収集タンク１６，１８の側面に対して固定された近位端部４８，５０を有しているとともに、結合部５２によって相互に結合された遠位端部とを有している。上記２つの分岐体４４，４６は、第１分岐体４４の外表面と第２分岐体４６の内表面との間に空隙を形成するように、互いに距離が開いている。
【００１４】
上述したシート３８の形状は、係合表面４２の弾性的変形を得ることができる。したがって、これにより、旋回形係合部材の円筒表面３６とスナップ式の結合が可能となる。スナップ式係合表面４２は１８０度より僅かに大きな角度の延在部を有し、また、円形係合表面４２の曲率半径は係合部材３６の外表面半径に略等しいことが好ましい。曲面４２が１８０度以上の角度で延在することによって、旋回構造体３６が、図５の矢５４で示す方向に移動して、シート３８に挿入されると、第１分岐体４４が弾性的に変化して、上記旋回構造体３６は上記係合表面４２と係合する。
【００１５】
各シート３８の係合表面４２と旋回構造体３６の間のスナップ式係合は、遊びがなく安定して、ファン２４の支持構造体がラジエータ１２に接合することを十分保証する。偶発的な係合離脱を確実に防止するため、弾性的変形が可能なタブ５４を収集タンク１６，１８の下部シート３８の各々に設けることが好ましい。上記タブ５４は、シート３８の第１分岐体４４と第２分岐体４６との間の結合部５２から突き出ている。上記タブ５４は、２つの分岐体４４，４６と一体に（互いに順繰りに一体に、また、各収集タンク１６，１８の本体と一体に）形成されている。弾性的に変形可能なタブ５４は係合歯５６を有する。上記係合歯５６は、各アーム３４の端部の平面５８とスナップ式に係合すると共に、移動止めとなって、旋回構造体３６がスナップ式係合面４２から係合離脱するのを防ぐ。
【００１６】
図１から図５に示す実施形態では、２つの収集タンク１６，１８上に設けられた４つのシート３８は全て同じ方向に向き、具体例では、シート３８のＵ字形状面が上方に向いている。この場合、ファン２４の支持構造体は、下方に移動して、ラジエータ上に設けられる（特に図４と図５を参照）。この移動の結果、旋回構造体３６が円形表面４２にそれぞれ挿入され、スナップ式に係合する。また、弾性的に変形するタブ５４はそれぞれ表面５８とスナップ式に係合する。旋回構造体３６と係合表面４２との間のスナップ式の接続は、相互に接続する表面の遊びを排斥する。したがって、ファン２４の支持構造体とラジエータ１２との間の相対的な取付けが、特に確実かつ有効となり、ラジエータに沿い収集タンク１６，１８に直角な接続点を更に必要としない。
【００１７】
図６，図７，図８に示す第２の実施形態においては、２つの下部シート３８はＵ字形状の開口部が上方に面して方向付けられ、一方、２つの上部シートはＵ字形状シートが水平に面して方向付けられている。この場合、まず、２つの下部アームの旋回部を２つの下部シートと係合させ、続いて、図８に示すように、ファン２４の支持構造体を揺動させて、上部アームの２つの旋回部をそれぞれ上部シートにスナップ式に係合させることにより、ファン２４の支持構造体を取付ける。
【００１８】
図６〜図８の変形例では、上述した構成要素に対応するものは、同一参照番号によって示される。この場合、下部シート３８は、引き抜きに抗する移動止めのタブ５４が存在しないことを除いて、上記実施例に記載の下部シートと略同一である。この変形例では、タブ５４は、収集タンク１６，１８の壁から突き出し（図８）、各上部アーム３４の端部に形成されたスロット（細長い穴）６０にスナップ式に係合している。図８を参照すると、この実施形態においては、各上部シート３８は、略Ｍ形状に延在した薄壁によって形成されている。各上部シート３８は、その端部が収集タンク１６，１８の側面に取付けられるとともに、嵌め込め式の係合表面４２を設けたＵ字形状中央分岐体４４を有し、上記係合表面４２は旋回構造体３６と協働する。
【００１９】
図８を参照すると、この第２の変形例では、上部シート３８に、螺子と係合する隆起部６２が備えられている。上記螺子は、タブ６６に形成された穴６４と係合する。上記タブ６６はアーム３４の端部から延在する。支持構造体がファン２４から偶発的に係合離脱するのを確実に防止するために、弾性タブ５４の代替えとして、或いは、弾性タブ５４に追加して、螺子による接続を使用することができる。本発明の別の実施形態では、図８のシート３８のように、上部シートと下部シートとを全て水平に方向付けることができる。
【００２０】
上述した固定システムは、インタークーラー熱交換器をラジエータに固定するために、使用することもできる。上記ラジエータには、上述したものと同じスナップ式係合シートが設けられ、上記インタークーラーには、上記ファン２４の支持構造体のアーム３４の端部に設けられたものと同じ旋回構造体が設けられる。
【図面の簡単な説明】
【００２１】
【図１】本発明による冷却アセンブリの第１実施形態の正面図である。
【図２】図１の矢IIによって示される部分の拡大斜視図である。
【図３】図１の矢IIIによって示される部分の拡大斜視図である。
【図４】ファンの支持体をラジエータに固定する方法を示す正面図である。
【図５】図４の矢Ｖによって示される部分の拡大詳細図である。
【図６】本発明の第２実施形態を示す図３による斜視図である。
【図７】図６の矢VIIによって示される部分の斜視図である。
【図８】図６の矢VIIIによって示される部分の斜視図である。
【符号の説明】
【００２２】
１２  ラジエータ
１６  収集タンク
１８  収集タンク
２４  要素
３６  係合部材
３８  シート
４２  係合表面、弧状部
４４  分岐体
５４  タブ
５８  平面部
６０  平面部
【図１】
2006207588.tif 000003
【図２】
2006207588.tif 000004
【図３】
2006207588.tif 000005
【図４】
2006207588.tif 000006
【図５】
2006207588.tif 000007
【図６】
2006207588.tif 000008
【図７】
2006207588.tif 000009
【図８】
2006207588.tif 000010